(57)【要約】【課題】  本発明は、宅配商品の購入やデジタル・コンテンツを自宅のパソコン等に直接ダウンロードするための決済手段として店頭で現金で決済することを目的とする。【解決手段】  本発明の宅配商品やデジタル・コンテンツ発注システムは、商店内に設けられた発注端末と商品カードまたはメディア発行装置、およびこれらと流通管理センターを結ぶネットワークからなり、提示された商品の中から顧客が代金を支払って所定の商品を発注すると該発注に対応する商品カードまたは電子メディアが発行され、顧客が取得した商品カードを郵送し、または電子メディアを自宅のパソコン等にセットすると、センターで該商品の前記流通管理コードが商品カードもしくはメディアから読み取られ、該流通管理コードに対応する商品が宅配され、またはデジタル・コンテンツの内容がコンテンツ・センターから上記パソコン等にダウンロードされる。【選択図】図１
2006221480.tif 000002
【特許請求の範囲】
【請求項１】
商店内に設けられた発注端末と発注用商品カード発行装置およびこれらと流通管理センターを結ぶネットワークからなる宅配商品発注システムにおいて、
上記店内発注端末において、顧客が該端末に商品カードを挿入し代金を支払って所定の宅配商品を発注すると、該発注に対応する商品識別コード及び流通管理コードが流通管理センターに送られると共に該流通管理センターが発行する受注コード番号が返送されて上記商品カードに該受注コード番号が印字され、前記流通管理センターの発注データ及び郵便物として投函された前記商品カードの情報との照合により商品センターから前記発注された商品が指定住所に宅配されることを特徴とする宅配商品発注システム。
【請求項２】
前記流通管理センターには、前記発注に対応する商品識別コード及び流通管理コードが流通管理センターに送られる時の流通管理コード等のデータの認証・決済を行う認証・決済センターを含むことを特徴とする前記請求項１記載の宅配商品発注システム。
【請求項３】
商店内に設けられた発注端末と電子メディア発行装置、およびこれらと流通管理センターを結ぶネットワークからなるデジタル・コンテンツ発注システムにおいて、
上記店内発注端末において、提示されたデジタル・コンテンツの中から顧客が代金を支払って所定のデジタル・コンテンツを発注すると、該発注に対応する商品識別コードが流通管理センターに送られると共に該流通管理センターが発行する流通管理コード番号が返送され、該発注に対応する電子メディアが該商品識別コード及び流通管理コードを付加されて前記電子メディア発行装置から発行され、前記顧客が前記取得した電子メディアを自宅のパソコン等にセットすると該電子メディアの前記流通管理コードが読み取られ、該読み取られた流通管理コードに対応する前記デジタル・コンテンツの内容が、前記流通管理センターの前記商品識別コード及び流通管理コードを受信して該コードを照合したコンテンツ・センターから該パソコン等にダウンロードされることを特徴とするデジタル・コンテンツ発注システム。
【請求項４】
前記商品識別コードは前記所定の商品が前記自動払い出し装置から提供される時前記電子メディアに印字されるものであり、前記流通管理コードは上記電子メディアと共に一体化して収納されたＩＣタグ等のメモリに記録されていることを特徴とする前記請求項３記載のデジタル・コンテンツ発注システム。
【請求項５】
前記電子メディアには、前記デジタル・コンテンツをダウンロードまたはストリーミングするプログラムを格納しており、前記商品識別コードをセンターに送信する時、センターのサーバが同商品識別コードを基に解読Ｋｅｙを生成し、該解読Ｋｅｙによりデジタル・コンテンツを暗号化することを特徴とする前記請求項３または４記載のデジタル・コンテンツ発注システム。
【請求項６】
２回目以降、ダウンロードされたデジタル・コンテンツを視聴する際も、常に前記電子メディアの商品識別コードをセンターに送信することにより前記解読Ｋｅｙを得て、該解読Ｋｅｙによりデジタル・コンテンツを視聴するように構成することを特徴とする前記請求項５記載のデジタル・コンテンツ発注システム。
【請求項７】
前記解読ＫｅｙがＰＣ等に取り込まれても、視聴後に自動消去されるよう起動プログラムを構成することを特徴とする前記請求項５または６記載のデジタル・コンテンツ発注システム。
【請求項８】
前記電子メディアをユーザがパソコンで使用したとき、前記流通管理センターに前記商品識別コードがインターネットを介して自動的に通知され管理されることを特徴とする前記請求項３〜７の内、いずれか１項記載のデジタル・コンテンツ発注システム。
【請求項９】
前記流通管理センターには、前記所定の商品を発注時、該発注に対応する商品識別コード及び流通管理コードが流通管理センターに送られる時のデータ、および前記顧客が前記取得した電子メディアを自宅のパソコン等にセットしたとき読み取られる前記流通管理コード等のデータの認証・決済を行う認証・決済センターを含むことを特徴とする前記請求項３〜８の内、いずれか１項記載のデジタル・コンテンツ発注システム。
【請求項１０】
前記店内には、前記電子メディアの自動買取装置を有し、前記流通管理センターのサーバが該電子メディアの利用回数や利用日を流通管理ファイルに記録しており、電子メディアが自動買取装置が挿入された時、電子メディアのＩＣタグ等に記録された商品識別コードをセンターに送信し、センターの前記サーバが該商品識別コードにより流通管理ファイルの利用履歴レコードを抽出し、同利用履歴により買取金額を算出することを特徴とする前記請求項３〜９の内、いずれか１項記載のデジタル・コンテンツ発注システム。
【発明の詳細な説明】
【技術分野】
【０００１】
本発明は、商店内に設けられた発注端末で決済を行い、該発注に対応した宅配商品を配送するシステム、及び決済後発行される電子メディアを用いて自宅等のパソコンに購入したデジタル・コンテンツの内容をインターネットを介してダウンロードするデジタル・コンテンツ発注システムに関する。
【背景技術】
【０００２】
インターネットを介して商品を注文し、商品を宅配させるシステムはよく知られている。しかし、これら商品発注の決済にはクレジット・カードを用いる必要があるが、近年クレジット・カードの事故発生が多いのでこのようなインターネット上でのクレジット・カードの使用を躊躇する人が多い。
【０００３】
また、音楽や映像、ゲーム、ビジネス用ソフトの様なデジタル・コンテンツは、一般的には、ＣＤやＭＤ、フレキシブルディスク等の記憶媒体（メディア）に記録され、販売されているのが通常である。
これらデジタル・コンテンツは、電子的な記録や送受信により販売することが可能であるが、これもインターネットを介して購入する場合クレジット・カードを用いる必要があり、昨今クレジット・カードの事故発生が多く生じているのでＩＤや暗証番号等をインターネットを介して送信することを嫌う人が増えてきている。
【０００４】
また、コンビニエンス・ストア等に設置される端末により、音楽やゲームソフト等のデジタル・コンテンツをダウンロードするシステムが知られている。この場合、その場で現金決済も可能であるが、端末がいつも空いているとは限らず、ダウンロード時間も必要とする。また、端末でダウンロードしたコンテンツは、自宅のパソコン等に再度取り込む手間が必要であり不便である。
【特許文献１】特開２００２−１５１９３号公報
【特許文献２】特開２００２−１６３７２１号公報
【発明の開示】
【発明が解決しようとする課題】
【０００５】
本発明の課題は、前記宅配商品の発注を店頭で行い、その決済を現金で行うシステム、あるいは前記デジタル・コンテンツを自宅のパソコン等に直接ダウンロードするための決済手段として、店頭で現金で決済し、その決済内容を記録したメディアにより目的のコンテンツを自宅のパソコン等でダウンロードを行うことができるシステムを提供することを目的とする。
【課題を解決するための手段】
【０００６】
上述した課題を解決するため、本発明の宅配商品発注システムは、商店内に設けられた発注端末と発注用商品カード発行装置およびこれらと流通管理センターを結ぶネットワークからなる宅配商品発注システムにおいて、上記店内発注端末において、顧客が該端末に商品カードを挿入し代金を支払って所定の宅配商品を発注すると、該発注に対応する商品識別コード及び流通管理コードが流通管理センターに送られると共に該流通管理センターが発行する受注コード番号が返送されて上記商品カードに該受注コード番号が印字され、前記流通管理センターの発注データ及び郵便物として投函された前記商品カードの情報との照合により商品センターから前記発注された商品が指定住所に宅配されることを特徴とする。
【０００７】
さらに、前記流通管理センターには、前記発注に対応する商品識別コード及び流通管理コードが流通管理センターに送られる時の流通管理コード等のデータの認証・決済を行う認証・決済センターを含むことを特徴とする。
【０００８】
あるいは、本発明のデジタル・コンテンツ発注システムは、商店内に設けられた発注端末と電子メディア発行装置、およびこれらと流通管理センターを結ぶネットワークからなるデジタル・コンテンツ発注システムにおいて、上記店内発注端末において、提示されたデジタル・コンテンツの中から顧客が代金を支払って所定のデジタル・コンテンツを発注すると、該発注に対応する商品識別コードが流通管理センターに送られると共に該流通管理センターが発行する流通管理コード番号が返送され、該発注に対応する電子メディアが該商品識別コード及び流通管理コードを付加されて前記電子メディア発行装置から発行され、前記顧客が前記取得した電子メディアを自宅のパソコン等にセットすると、該電子メディアの前記流通管理コードが読み取られ該読み取られた流通管理コードに対応する前記デジタル・コンテンツの内容が、前記流通管理センターの前記商品識別コード及び流通管理コードを受信して該コードを照合したコンテンツ・センターから該パソコン等にダウンロードされることを特徴とする。
【０００９】
さらに、前記商品識別コードは前記所定の商品が前記自動払い出し装置から提供される時前記電子メディアに印字されるものであり、前記流通管理コードは上記電子メディアと共に一体化して収納されたＩＣタグ等のメモリに記録されていることを特徴とする。
【００１０】
さらにまた、前記電子メディアには、前記デジタル・コンテンツをダウンロードまたはストリーミングするプログラムを格納しており、前記商品識別コードをセンターに送信する時、センターのサーバが同商品識別コードを基に解読Ｋｅｙを生成し、該解読Ｋｅｙによりデジタル・コンテンツを暗号化することを特徴とする。
【００１１】
また、２回目以降、ダウンロードされたデジタル・コンテンツを視聴する際も、常に前記電子メディアの商品識別コードをセンターに送信することにより前記解読Ｋｅｙを得て、該解読Ｋｅｙによりデジタル・コンテンツを視聴するように構成することを特徴とする。
【００１２】
さらに、前記解読ＫｅｙがＰＣ等に取り込まれても、視聴後に自動消去されるよう起動プログラムを構成することを特徴とする。
さらにまた、前記電子メディアをユーザがパソコンで使用したとき、前記流通管理センターに前記商品識別コードがインターネットを介して自動的に通知され管理されることを特徴とする。
【００１３】
さらに、前記流通管理センターには、前記所定の商品を発注時、該発注に対応する商品識別コード及び流通管理コードが流通管理センターに送られる時のデータ、および前記顧客が前記取得した電子メディアを自宅のパソコン等にセットしたとき読み取られる前記流通管理コード等のデータの認証・決済を行う認証・決済センターを含むことを特徴とする。
【００１４】
さらにまた、前記店内には、前記電子メディアの自動買取装置を有し、前記流通管理センターのサーバが該電子メディアの利用回数や利用日を流通管理ファイルに記録しており、電子メディアが自動買取装置が挿入された時、電子メディアのＩＣタグ等に記録された商品識別コードをセンターに送信し、センターの前記サーバが該商品識別コードにより流通管理ファイルの利用履歴レコードを抽出し、同利用履歴により買取金額を算出することを特徴とする。
【発明の効果】
【００１５】
本発明の宅配商品発注システムは、商店内に設けられた発注端末により店頭で現金で決済しその発注商品を宅配するので、クレジット・カード等をいっさい使う必要がなく、クレジット・カードを用いるリスクを回避できる。また、カタログ販売ができるので、品揃えも豊富になる。
【００１６】
また同様に、本発明のデジタル・コンテンツ発注システムは、店頭で現金で決済し、その決済内容を記録したメディアにより自宅のパソコン等での目的のダウンロードを行うことができるシステムなので、クレジット・カード等をいっさい使う必要がなく、クレジット・カードを用いるリスクを回避できる。このことにより、消費者に安心感を与える。
【００１７】
また、コンテンツ・センターからダウンロードする仕組みなので、ＣＤ等を店頭に置かなくてもよく、また品揃えはあらゆるものが揃えられるので、消費者の利便性が高い。店舗に取っても、スペースが要らないのでコンビニ等でも置けるというメリットと共に、顧客にはあの店に行けば必ず目的のコンテンツを入手できるという信頼感が生じ、顧客層の増大に繋がるメリットがある。
【００１８】
また、店頭の端末でダウンロードするのに比べ、自宅のパソコン等自分のダウンロードしたい記録媒体にインターネット経由で直接ダウンロードできるので、店頭でのダウンロードやそれを再度自宅のパソコン等に再記録する面倒がない。
【発明を実施するための最良の形態】
【００１９】
以下、図面を参照し、実施例に基づき本発明を詳細に説明する。
【実施例】
【００２０】
図７に本発明の宅配商品発注システムの全体概念図が示される。
図において、顧客はカタログ・スタンドに展示されている宅配用商品カード１０１を選択し、該商品カード１０１をコンビニ等の店内に設置されている発注端末１０２に挿入し、現金決済するか、商品チケットを挿入して決済すると、上記発注端末１０２は、端末名、発注Ｎｏ．、発注日付、商品コ−ド等の発注情報をデータセンターのサーバＡ１０３に送信する。すると、サーバＡ１０３は、受注情報として受注Ｎｏ．を上記端末１０２に返送する。
【００２１】
該端末１０２は上記受注Ｎｏ．を印字した貼り付け用シールを発行するか、または前記商品カード１０１に受注Ｎｏ．を印字して返却する。
顧客は、このようにして得られた上記シールを貼った商品カード、あるいは印字された商品カードに自宅等の商品の配達先住所や名前の送付先情報を記入し、郵便ポストに投函する。商品センター１０４では、このようにして届いた商品カード１０６の受注Ｎｏ．を前記サーバＡの受注情報と照合し、商品１０７を前記送付先住所に発送する。
【００２２】
図８は、本発明のデジタル・コンテンツ発注システムの発注時の概念図を示す。
図において、顧客はカタログ・スタンドに展示されているデジタル・コンテンツ商品カード１１１を選択し、該商品カード１１１をコンビニ等の店内に設置されている発注端末１１２に挿入し、現金決済するか、商品チケットを挿入して決済すると、上記発注端末１１２は、端末名、発注Ｎｏ．、発注日付、商品コ−ド等の発注情報をデータセンターのサーバＡ１１３に送信する。すると、サーバＡ１１３は、受注情報として商品コード、受注Ｎｏ．をサーバＢ１１４を介して電子メディア自動発行装置１１５に商品コード、ＩＤ番号のＩＤ情報を送信する。電子メディア１１６は、起動用プログラムや暗号解読用プログラムを前もって格納している電子媒体である。該電子メディア１１６はカード型に成形されたＣＤやメモリであり、流通管理用ＩＣと数字を印字可能なエリアが設けられている。電子メディア自動発行装置１１５は、前記発注に対応してこのようにプリセットされている電子メディアの流通管理用ＩＣに商品コード、ＩＤ番号を記録すると同時に、印字エリアにＩＤ番号を印刷して該電子メディアを自動的に発行する。
【００２３】
図９は、本発明のデジタル・コンテンツ発注システムの利用時の概念図を示す。
図において、顧客（利用者）は前記のように購入した電子メディア１２１を自宅等のパソコン１２２に挿入すると電子メディアに格納されている起動用プログラムが起動し、利用者がＩＤ番号を入力し送信すると、データセンターのサーバＣ１２４は、ＩＤ番号をサーバＢ１２３に照合・認証し、同時に該ＩＤ別に利用回数や利用日を流通管理ファイルに記録する。サーバＣ１２４は上記照合が取れたら、初回の場合はＩＤ番号を基に解読Ｋｅｙを生成し、該解読Ｋｅｙによりデジタル・コンテンツを暗号化しながらパソコン１２２にストリーミングまたはダウンロードする。なお、２回目以降は解読Ｋｅｙのみを送信する。
【００２４】
パソコン１２２側では、初回は電子メディアに格納されている起動用プログラムにより暗号解読用プログラムと送信された解読Ｋｅｙを基に、デジタル・コンテンツを視聴しながら保存する。なお、視聴後、該解読Ｋｅｙは消去される。該操作が２回目以降の場合は、暗号解読用プログラムと送信された解読Ｋｅｙを基に、上記保存されたデジタル・コンテンツを解読しながら視聴する。なお、視聴後、該解読Ｋｅｙは消去される。
【００２５】
図１０は、前記購入した本発明のデジタル・コンテンツを買い取ってもらうための買取システムの利用時の概念図を示す。
図において、顧客（利用者）は前記のように購入した電子メディア１３３を店頭に設置されている電子メディア自動買取装置１３４に挿入すると、電子メディアに格納されている起動用プログラムが起動し、電子メディアに格納されているＩＤ番号がデータセンターに送信される。データセンターのサーバＢ１３６は、送信されたＩＤ番号によりサーバーＣ１３５にアクセスして流通管理ファイルを参照し、利用回数や最終利用日を割り出す。該割り出された内容から買取金額を計算し、同金額の払い出し指令を電子メディア自動買取装置１３４に送信する。電子メディア自動買取装置１３４では、該買取金額の払い出し指令に基づき現金を払い出す。
【００２６】
図１〜図３は、本発明のデジタル・コンテンツ発注システムの実施例を説明する図である。同図において１はコンビニエンス・ストア等の店舗、２は該店舗内に設けられたデジタル・コンテンツ発注端末、３は該デジタル・コンテンツ発注端末２と連動するカード型メディア自動払い出し装置、５は認証センター、６は流通管理センター、７はコンテンツ・センター、８，９，１０はそれぞれ認証・決済サーバ、流通管理サーバ、デジタル・コンテンツ・サーバである。なお、これら認証センター、流通管理センター及びコンテンツ・センター全体を広義の流通管理センターという。１３は、発注データ管理を行うセンター、１５，１６，１７，１８はカード型メディア（ＣＤおよびタグ）を示す。なお、１７，１８はこれらメディアの管理データのみの模式図である。また、デジタル・コンテンツ発注端末２、メディア自動払い出し装置３の具体的イメージが図６に示される。
【００２７】
図１において、顧客が購入したいデジタル・コンテンツ（音楽や映像、ゲームソフト等）を選択する際、
１）発注端末２に商品メニューが表示され（もしくは、商品カードとして展示され）、
２）同商品メニューには、各デジタル・コンテンツ商品が価格帯やカテゴリー別に分類されて案内されていて、
３）顧客が任意のデジタル・コンテンツ商品を選択すると、同商品の詳細が案内される。
【００２８】
尚、上記商品のデジタル・コンテンツ部分は、同メディアの起動用プログラムの通信プログラムをＰＣやＰＤＡ等のコンピュータにより始動してコンテンツ・センター等にネットワーク接続して供給を受け取るものである。
【００２９】
そして、顧客が同商品の選択を確定し発注すると、発注端末２に連動したメディア自動払出装置３（発注端末と一体化してもよい）は、
１）同商品１５の表面に同デジタル・コンテンツの内容（価格帯やカテゴリー等）に関する商品識別コード（Ａ）を印字し、
２）また、同商品１５を構成するメディア内に設けられた記憶エリアまたは同商品に取り付けられた記憶媒体（例：磁気テープやＩＣメモリ等）に同商品の販売情報（販売日時、販売店、連番等）に関する流通管理コード（Ｂ）を記録し、更に、これら（Ａ）（Ｂ）を流通管理センターの流通管理サーバーに売上データと共に送信する（図１［１］，［２］，［３］）。  
【００３０】
尚、１）における印字については、同メディアのリサイクル性を考慮して、熱転写方式などの書き換え可能な印字方法を採用し、目視可能な文字または数字の組合せを印字する方法が望ましい。
【００３１】
流通管理センター６の流通管理サーバー９は、
１）前述の（Ａ）（Ｂ）を流通管理ファイルに記録（各コードは一対で管理される）する。
２）商品識別コード（Ａ）をコンテンツ・センターに送信し、これに対応したコンテンツをコンテンツ配信用アプリケーション・サーバーにセットさせておく。
【００３２】
ここで、利用者が、同商品のデジタル・コンテンツを自宅１２のＰＣやＰＤＡ等により利用する場合、
１）同商品１６をＰＣ、ＰＤＡ等にセットすると、
２）同商品１６に記録された起動用プログラムが始動し、利用者に前記商品識別コード（Ａ）の入力を求め、利用者が商品識別コード（Ａ）を入力すると、起動用プログラムは通信プログラムを始動してコンテンツ・センター等に接続し、商品識別コード（Ａ）に対応したコンテンツが準備されているコンテンツ配信用アプリケーション・サーバーから上記ＰＣ等に所定のコンテンツをダウンロードする。
３）更に、起動用プログラムは、流通管理用通信プログラムを始動し、同ＰＣやＰＤＡ等を流通管理センターに接続し、２）の操作が行われたことを流通管理サーバーに送信する（図１［４］）。
４）ここで、流通管理サーバーは、前述の流通管理ファイルに当該する商品識別コード（Ａ）の商品が使用されたことを記録する。
【００３３】
なお、上記実施例の場合、商品識別コードと流通管理コードの２種類を用いているが、これは後述する自動買取装置において、識別コードの迅速な読み取りや偽造防止の目的で、不可視なかつ非接触メモリ（ＩＣタグ等）や機械読み取り容易な二次元バーコードを用いた第２のコード（流通管理コード）を採用しているが、例えばメディア（ＣＤ等）内に前記商品識別コードを記録させれば、上記商品識別コードと流通管理コードを同じものを用い、流通管理コードを省略することも可能である。ただ、この場合は、自動読み取りの迅速性に問題がある。
【００３４】
図２〜図４を参照して、さらに詳細な図１の動作を説明すると、以下のとおりである。
図２は、上記発注端末機で顧客が所定のデジタル・コンテンツに対応するカード型メディア（ＣＤ−ＲＯＭ等）を自動払い出し装置から供給を受けるときの情報の流れを示している。
【００３５】
まず、商品選択メニューが発注端末２に表示され、顧客が該メニューから商品（デジタル・コンテンツ）を選択すると、図２の２１に示されるように選択された商品毎にユニークな商品識別コード（Ａ）とユニークな流通管理コード（Ｂ）が発生し、自動払い出し装置３において上記商品識別コード（Ａ）が上記メディア（カード型ＣＤ１５の印字エリアに印字される。同時に、上記流通管理コード（Ｂ）が上記メディア（カード型ＣＤ）１５と一体化されて梱包される記憶媒体（ＩＣチップ）に記録される。なお、商品識別コード（Ａ）は商品の種類（価格帯やカテゴリー等）および個別番号を表し、流通管理コード（Ｂ）は個々の商品毎に添付されるＩＣチップの個別の管理番号を示す。上記メディア（カード型ＣＤ）は上記記憶媒体（ＩＣチップ）と一体化されて顧客に渡される。
【００３６】
上記払い出し動作と平行して、上記発生した商品識別コード（Ａ）と流通管理コード（Ｂ）は図２の２１の如きデータとして認証センター５に送信される。
認証センター５では図２の２２の如く、該データをデータベースに格納すると共に、上記データは流通管理センター６にも送信する。同様にして、流通管理センター６のデータベースにも図２の２３に示すように必要な情報が格納される。
【００３７】
図１においては、これら発注データを管理するセンター（ＶＩＳＩＯＮ  ＳＨＯＰ（商標））が別に設けられており、発注の確認を行っているが、該センターは省略してもよい。上記データの流れは、図１において、［１］〜［３］で示される。
【００３８】
図３は、顧客が前記メディア（カード型ＣＤ）の中身（デジタル・コンテンツ）を自宅１２のパソコン等で使用したときの情報の流れを示す。
自宅１２のパソコンでカード型ＣＤ１８を開くとき、顧客は該ＣＤに印刷されている商品識別コード（Ａ）の入力を要求される。この場合、該商品識別コード（Ａ）が必ずコンテンツ・センター１０に送信されるような仕組みとなっている。例えば、指定のＵＲＬ（コンテンツ・センター）に上記商品識別コードを入力すると、自動的にコンテンツ・センター１０に接続されて該商品識別コードが送信され、受信確認通知を待って開く等の仕組みである。図３は、コンテンツ・センターのゲーム・サーバに接続してゲームを行う場合を示しており、この場合の上記仕組みは、ゲームを行うためゲーム・サーバへの接続が必要になるのでもっと簡単になる。
【００３９】
コンテンツ・センター１０では、上記受信した商品識別コード（Ａ）を流通管理センター６に送信し、流通管理センター６ではデータベース２３上の該送信された商品識別コード（Ａ）に対応したＦＬＡＧフィールドにカウントをセットする。
【００４０】
図４は、顧客（利用者）が前記メディア（カード型ＣＤ）の中身（デジタル・コンテンツ）を売却する場合の情報の流れを示す。
利用者が、同商品のデジタル・コンテンツを売却する場合
１）同商品１９を自動買取装置１１にセットすると、
２）同商品を構成するメディア内に設けられた記憶エリアまたは同商品に取り付けられた記憶媒体に記録された流通管理コード（Ｂ）が自動的に読み取られ、
３）同時に、流通管理コード（Ｂ）が流通管理センターの流通管理サーバ９に送信される（図４［６］ ）。
４）流通管理サーバ９は、流通管理ファイルの同（Ｂ）に対応するフィールドを呼び出し、商品識別コード（Ａ）の使用状況（回数）を読み出し、例えば、使用度に応じた流通価格ファイルの金額データと一緒に、自動買取装置に送信する（図４［６］ ）。
５）自動買取装置は、同使用回数または金額データに基づき買取金額を払い出す。なお、電子メディアの発行や買取業務は、図４に示すごとく別途ベンダー４を設けてリサイクルしてもよい。
【００４１】
上記実施例の場合、商品識別コードと流通管理コードの２種類を用いているが、これは前記自動買取装置において、識別コードの迅速な読み取りや偽造防止の目的で、不可視なかつ非接触メモリ（ＩＣタグ等）や機械読み取り容易な二次元バーコードを用いた第２のコード（流通管理コード）を採用しているが、例えばＣＤ内に前記商品識別コードを記録させれば、上記商品識別コードと流通管理コードを同じものを用い、流通管理コードを省略することも可能である。ただし、この場合は、自動読み取りの迅速性に問題がある。
【００４２】
図５は、前記カード型ＣＤを買取って貰うときの本システムの情報の流れを示す。
利用者が、前記の如く払い出されたデジタル・コンテンツ商品（カード型ＣＤ）１９を前記自動買取装置１１に挿入すると、挿入されたカード型ＣＤ等のＩＣチップ（ＣＤと一体化されて梱包されているＩＣタグ）より前記流通管理コード（Ｂ）を読み取る。自動買取装置１１は、該取得された流通管理コード（Ｂ）４１を流通管理センターに送信する。流通管理センター６は、送信された流通管理コード（Ｂ）のデータをデータベース４２に照合し、利用済み、データ無し等の検証を行う。その後、正常データのＦＬＡＧフィールドに交換済みフラグを書き込み、同時に前記流通管理コード（Ｂ）４１に結果を書き込んだデータ４３を自動買取装置１１に返送する。
【００４３】
図１１は、本発明のデジタル・コンテンツ発注システムと前記宅配発注システムを共用し、デジタル・コンテンツと共に一般用品や食品系の宅配をも前記発注端末で行えるようにしたシステムである。
【００４４】
顧客は、前記端末で一般用品や食品等を注文し現金決済すると、該発注に対応した商品が自宅に配送されるものであり、また前記デジタル・コンテンツ発注もできるので前記端末の利便性が増す効果がある。
【産業上の利用可能性】
【００４５】
本発明の宅配発注システムおよびデジタル・コンテンツ発注システムは、店頭で現金で決済し、その決済内容を記録した商品カードにより宅配が受けられる、あるいはその決済内容を記録したメディアにより自宅のパソコン等での目的のダウンロードを行うことができるシステムなので、クレジット・カード等をいっさい使う必要がなく、クレジット・カードを用いるリスクを回避できる。
【００４６】
このことにより、消費者に安心感を与え、また、ＣＤ等を店頭に置かなくてもよく、品揃えはあらゆるものが揃えられるので消費者の利便性が高い。また、店舗に取っても、スペースが要らないのでコンビニ等でも置けるというメリットと共に、顧客にはあの店に行けば必ず目的のコンテンツを入手できるという信頼感が生じ、該端末の利便性が高く、急速な普及が見込まれる。
【００４７】
また、不要となったコンテンツは、購入した電子メディアを中古品として売却できるので購入者への利便性が高く、リピート・オーダーへの誘因にもなり、システムの普及が期待できる。
【００４８】
さらに、前記宅配発注システムとデジタル・コンテンツ発注システムを１つの端末で共用すれば、より利便性が増す。
【図面の簡単な説明】
【００４９】
【図１】本発明のデジタル・コンテンツ発注システムの全体構成を説明する図である。
【図２】本発明のデジタル・コンテンツ発注システムで顧客がメディア（例えば、カード型ＣＤ−ＲＯＭ）を自動払い出し装置から供給を受けるときの情報の流れを示す図である。
【図３】本発明のシステムにおいて、顧客が購入したデジタル・コンテンツを自宅のパソコン等にダウンロードするときの情報の流れを示す図である。
【図４】本発明のデジタル・コンテンツ買取システムの全体構成を説明する図である。
【図５】本発明のシステムにおいて、顧客が購入したデジタル・コンテンツを売却する場合の情報の流れを示す図である。
【図６】発注端末２、自動払い出し装置３の具体的イメージを示す図である。
【図７】本発明の宅配商品発注システムの全体概念図である。
【図８】本発明のデジタル・コンテンツ発注システムの発注時の概念図である。
【図９】本発明のデジタル・コンテンツ発注システムの利用時の概念図である。
【図１０】前記購入した本発明のデジタル・コンテンツを買い取ってもらうための買取システムの利用時の概念図である。
【図１１】本発明のデジタル・コンテンツ発注システムを一般用品や食品系の宅配システムに組み合わせた構成を説明する図である。
【符号の説明】
【００５０】
１  店舗
２  発注端末
３  自動払い出し装置
５  認証センター
６  流通管理センター
７  コンテンツ・センター
８  認証・決済サーバ  
９  流通管理サーバ
１０  デジタル・コンテンツ・サーバ
１２  自宅
１３  発注管理センター
１５〜１８  電子メディア（カード型ＣＤ）
１０１  商品カード
１０２  端末
１０３  サーバＡ
１０４  商品センター
１１１  商品カード
１１２  端末
１１３  サーバＡ
１１４  サーバＢ
１１５  電子メディア自動発行装置
１２１  電子メディア
１２２  端末
１２３  サーバＢ
１２４  サーバＣ
１３３  電子メディア
１３４  自動買取装置
１３５  サーバＣ
１３６  サーバＢ
【図１】
2006221480.tif 000003
【図２】
2006221480.tif 000004
【図３】
2006221480.tif 000005
【図４】
2006221480.tif 000006
【図５】
2006221480.tif 000007
【図６】
2006221480.tif 000008
【図７】
2006221480.tif 000009
【図８】
2006221480.tif 000010
【図９】
2006221480.tif 000011
【図１０】
2006221480.tif 000012
【図１１】
2006221480.tif 000013